(57)【要約】【課題】内蔵されるアンテナの指向特性および内蔵位置を使用者が容易に知ることができ、良好な通信性能を得ることのできるアンテナ内蔵無線端末を提供することを目的とする。【解決手段】無線ＬＡＮやＢｌｕｅｔｏｏｔｈ等の近距離無線においては、通信相手の位置や方向を使用者が認識している場合が多く、通信の際には指向性表示部１０２の特性の良い方向１０２ａが通信相手の方向になるようにノートＰＣ本体１００を向けることで良好な通信性能が得られる。また、指向性表示部１０２の位置にアンテナ部１０１があることが使用者が認識できるため、使用者が不用意に手や身体などで電波を遮断してしまい、通信性能を劣化させてしまうことがなくなる。【選択図】  図１
2004328429.tif 000002
【特許請求の範囲】
【請求項１】
アンテナを内蔵する無線端末において、前記アンテナの指向性を表示する指向性表示部を備えたことを特徴とするアンテナ内蔵無線端末。
【請求項２】
指向性表示部を、アンテナが内蔵されている近傍に配置することを特徴とするアンテナ内蔵無線端末。
【請求項３】
指向性表示部を、指向特性の放射パターン図としたことを特徴とする請求項１記載のアンテナ内蔵無線端末。
【請求項４】
指向性表示部を、指向特性の最大受信レベルの方向を示すマークとしたことを特徴とする請求項１記載のアンテナ内蔵無線端末。
【請求項５】
マークを、指向特性の最大受信レベルの方向を示す矢印としたことを特徴とする請求項４記載のアンテナ内蔵無線端末。
【請求項６】
マークが、指向特性の最大受信レベルの方向を示す部分と、アンテナが内蔵されている位置を示す部分とから構成されているものであることを特徴とする請求項４記載のアンテナ内蔵無線端末。
【発明の詳細な説明】
【０００１】
【発明の属する技術分野】
本発明は無線システムを内蔵する携帯端末に関し、特に無線ＬＡＮやＢｌｕｅｔｏｏｔｈなど通信相手の位置または方向が特定できる近距離無線通信を搭載したアンテナ内蔵無線端末に関するものである。
【０００２】
【従来の技術】
従来の無線システムを内蔵した携帯端末では、その携帯性を高め、落下など外部から受ける衝撃によるアンテナの損傷を防ぐためにアンテナ部の突起をなくしている。このため、使用者が携帯端末の使用時にアンテナの存在や内蔵個所を意識することはない。一方、このような携帯端末を屋内で使用する場合、無線ＬＡＮやＢｌｕｅｔｏｏｔｈなどの通信方法を用い、アクセスポイントやパーソナルコンピュータなどの通信相手と通信することが多い。アンテナには特性の良い向き、悪い向きといった指向性があり、通信相手に対して特性の悪い向きで使用すると通信性能が劣化するため、このような場合、通信性能が最も良好となるように携帯端末の方向を変えていた。
【０００３】
また、良好な通信性能を得るために、指向性の高い複数のアンテナを具備し受信レベル計測手段の計測結果に基づいて受信レベルを表示することで、使用者が受信レベルが最大の親局の方向を知ることができ、アンテナの方向を調整するようにしたものもある（特許文献１参照）。
【０００４】
【特許文献１】
特開２００２−１２４９６２号公報
【０００５】
【発明が解決しようとする課題】
この従来の技術においては、使用者がアンテナの存在に気が付かないため、アンテナ部に手を近づけたり、手や身体などで電波を遮断することにより、無意識に通信性能を劣化させてしまうことがある。
【０００６】
また、使用者が端末のアンテナの位置および通信相手機器の方向を意識していても、端末をどの方向に調整すれば良好な通信性能が得られるかがわからない。このため、試行しながら方向を決めているのが実情である。
【０００７】
「特許文献１」のものは、方向ごとの受信レベルを表示でき、受信レベルが最大の方向がわかるが、一つの端末に指向性の高い複数のアンテナを必要とするものであり、通信相手の方向がわからない場合には有効であるが、通信相手の位置がわかっている場合には意味のないものである。
【０００８】
本発明は、内蔵されるアンテナの指向特性および内蔵位置を使用者が容易に知ることができ、良好な通信性能を得ることのできるアンテナ内蔵無線端末を提供することを目的とする。
【０００９】
【課題を解決するための手段】
この課題を解決するために本発明は、アンテナを内蔵する無線端末において、該アンテナの指向性を表示する指向性表示部を備えたことを特徴とするものである。
【００１０】
また、前記指向性表示部を、アンテナが内蔵されている近傍に配置することを特徴とするものである。
【００１１】
これにより、使用者がアンテナの指向特性、および内蔵位置を認識することが可能になり、使用者がこれらを意識して取り扱うことにより、良好な通信性能を得ることのできるアンテナ内蔵無線端末を提供することができる。
【００１２】
【発明の実施の形態】
本発明の請求項１に記載の発明は、アンテナを内蔵する無線端末において、前記アンテナの指向性を表示する指向性表示部を備えたことを特徴とするアンテナ内蔵無線端末としたものであり、使用者が指向性表示部を見て、指向性の良い方向を通信相手の方に向けることで容易に良好な通信性能を得ることができるという作用を有する。
【００１３】
請求項２に記載の発明は、表示部を、アンテナが内蔵されている近傍に配置することを特徴とするアンテナ内蔵無線端末としたものであり、アンテナが内蔵されている位置がわかるため、使用者がアンテナが内蔵されていることを意識し、手や身体などで電波を遮断し通信性能を劣化させてしまうことを回避できるという作用を有する。
【００１４】
請求項３に記載の発明は、請求項１記載のアンテナ内蔵無線端末において、指向性表示部を、指向特性の放射パターン図としたことを特徴とするもので、放射パターン図から最も受信レベルの高い方向を知ることができ、通信相手の位置がその方向になるように無線端末の向きを合わせることにより、良好な通信性能を得ることができる。
【００１５】
請求項４に記載の発明は、請求項１記載のアンテナ内蔵無線端末において、指向性表示部を、最大受信レベルの方向を示すマークとしたことを特徴とするもので、最も受信レベルの高い方向を容易に知ることができ、通信相手の位置がマークの示す方向になるように無線端末の向きを合わせることにより、良好な通信性能を得ることができる。
【００１６】
請求項５に記載の発明は、請求項４記載のアンテナ内蔵無線端末において、マークを、最大受信レベルの方向を示す矢印としたことを特徴とするもので、最も受信レベルの高い方向を容易に知ることができ、通信相手の位置が矢印の方向になるように無線端末の向きを合わせることにより、良好な通信性能を得ることができる。
【００１７】
請求項６に記載の発明は、請求項４記載のアンテナ内蔵無線端末において、マークが、指向特性の最大感度方向を示す部分と、アンテナが内蔵されている位置を示す部分とから構成されているものであることを特徴とするもので、最も受信レベルの高い方向を知ることができ、通信相手の位置が矢印の方向になるように無線端末の向きを合わせて、良好な通信性能を得ることができると同時に、アンテナが内蔵されている位置がわかるため、使用者がアンテナが内蔵されていることを意識し、手や身体などで電波を遮断し通信性能を劣化させてしまうことを回避できる。
【００１８】
以下、本発明の実施の形態について、図１、図２を用いて説明する。
【００１９】
（実施の形態１）
図１は本発明のアンテナ内蔵無線端末の第１の実施の形態を示し、アンテナを内蔵した無線端末の一例であるノートＰＣ（パソコン）の外観図である。図１において、１００はノートＰＣ本体、１０１は内部にアンテナ（図示せず）が内蔵されているアンテナ部、１０２は内蔵されているアンテナの指向性を表示する指向性表示部で、アンテナ部１０１の位置に放射パターン図を表示することで受信レベルの指向性を示す。
【００２０】
無線ＬＡＮやＢｌｕｅｔｏｏｔｈ等の近距離無線においては、通信相手の位置や方向を使用者が認識している場合が多く、通信の際には指向性表示部１０２の特性の良い方向１０２ａが通信相手の方向になるようにノートＰＣ本体１００を向けることで良好な通信性能が得られる。また、指向性表示部１０２の位置にアンテナ部１０１があることが使用者が認識できるため、使用者が不用意に手や身体などで電波を遮断してしまい、通信性能を劣化させてしまうことがなくなる。
【００２１】
（実施の形態２）
図２は本発明のアンテナ内蔵無線端末の第２の実施の形態を示し、ノートＰＣの外観図である。図２において、２００はノートＰＣ本体で、アンテナ部２０１にアンテナ（図示せず）の特性の良い方向を示す指向性表示部２０２を備える。指向性表示部２０２は、指向特性の最大受信レベルの方向を示す矢印部２０２ａとアンテナ部２０１の位置を示す丸部２０２ｂが一体となったマークになっている。
【００２２】
このように構成することにより、丸部２０２ｂでアンテナの存在を使用者に意識させて、電波を遮断して通信性能を劣化させてしまうことを回避するとともに、アンテナ特性の良い方向＝矢印部２０２ａが通信相手の方向になるようにノートＰＣ本体２００を向けることで良好な通信性能が得られる。
【００２３】
なお、第２の実施の形態では、指向性表示部に矢印のマークを表示したが、これを受信レベルによって長さの異なる複数の矢印あるいは直線にしてもよく、色彩、○×の記号等で表わすようにしてもよい。要するに、内蔵されるアンテナの受信レベルや位置がわかるような表示であれば何でもよい。
【００２４】
【発明の効果】
以上のように本発明によれば、アンテナ部に指向性の表示をすることにより、通信特性の良い方向にて無線端末を使用することができ、更に使用者にアンテナの内蔵される位置を示し存在を意識させることにより、手や身体で電波を遮断して通信性能を劣化させてしまうことを避けることができるという有利な効果が得られる。
【図面の簡単な説明】
【図１】本発明のアンテナ内蔵無線端末の第１の実施の形態を示すノートＰＣの外観図
【図２】本発明のアンテナ内蔵無線端末の第２の実施の形態を示すノートＰＣの外観図
【符号の説明】
１００、２００  ノートＰＣ本体
１０１、２０１  アンテナ部
１０２、２０２  指向性表示部
１０２ａ  特性の良い方向
２０２ａ  矢印部
２０２ｂ  丸部
【図１】
2004328429.tif 000003
【図２】
2004328429.tif 000004